(57)【特許請求の範囲】
【請求項１】
中実の長尺部材である胴体と、該胴体の長手方向の軸線に交叉する方向に広げて前記胴体の上面に固定した翼と、前記胴体の下面に固定した重錘と、前記胴体の長手方向に関する一方の端部である前端に取り付けられ、釣糸の一端が連結されるアイと、前記長手方向に関する他方の端部である後端に連結した少なくとも一個の釣針と、前記翼の前記長手方向に関する後端から前記胴体の後端に向け広がるよう、前記翼に連続的に形成した補助翼と、を有するトップウオータルアーであって、
前記翼は、前端側が高くなるように傾斜させて前記胴体の長手方向に関する中心位置に固定し、
前記重錘は前記中心位置よりも前記胴体の後端側に固定して前記中心位置を回動中心として前記後端側を下方に移動させる回転モーメントを発生させ、
前記補助翼は、前記後端側が高くなるように傾斜させてあり、キャスティングの際に前記回転モーメントを打ち消して低減する揚力を発生するように構成したことを特徴とするトップウオータルアー。
【請求項２】
請求項１に記載するトップウオータルアーにおいて、
前記胴体は針金またはピアノ線で形成したことを特徴とするトップウオータルアー。
【発明の詳細な説明】
【技術分野】
【０００１】
本発明はトップウオータルアーに関し、特に小型のニジマス、ブラックバス、ブルーギルを釣る場合に適用して有用なものである。
【背景技術】
【０００２】
従来から、昆虫を擬態として成形したルアー、すなわち釣り人が竿を巧みに操ることによって魚に魅力的な本物の餌と思わせる道具であるルアーが知られている。
【０００３】
この種のルアーには、水中をリトリーブするものと、水面に浮かせてリトリーブするものがある。後者のルアーは、トップウオータルアーと呼称され、通常それ自身の浮力によって水面に浮くように構成され、水の流れに応じて移動しつつ、時々道糸（ライン）を引くことで、魚の注意を引くようにする。
【０００４】
また、よりリアルに見せるために、餌となる虫等の羽や触角をあしらった翼部を備えるトップウオータルアーやその翼部が自由に動くようにしたトップウオータルアーも知られている（例えば特許文献１参照）。特許文献１に開示するトップウオータルアーは、キャスティングする際の空気の抵抗をなるべく減らし、それによって所望位置に正確にキャスティングすることができるように工夫したもので、魚の餌である虫等の形を模したルアーが水面を流れる際、よりリアルにその虫等の振る舞いを表して、魚をより強く誘き寄せるよう工夫したものである。
【０００５】
さらに詳言すると、水面を浮遊させて魚を誘うルアーであって、ルアー本体の水面から露出する上部に一対の翼部が夫々揺動可能に取り付けられ、その翼部が前記上部から延びて水中に部分的に没するように構成してある。ここで、翼部が、夫々が左右に広げた位置と道糸方向に対して閉じた位置との間で揺動可能となっている。
【０００６】
しかしながら特許文献１ではキャスティングの際に当該トップウオータルアーを滑空させて水面に着水させるという工夫はなされていない。カゲロウ等の昆虫が空中を飛翔した後、水面に着水する態様を再現することにより、魅力的な餌として魚の興味を引くのではないかという着想がないからである。
【０００７】
さらに、特許文献１に開示するものも含め、従来技術に係るトップウオータルアーは水面に浮かせてリトリーブすることを前提として作製されているので胴体は浮力を稼ぐため、一般に中空部を有している（例えば、特許文献２参照）。すなわち、胴体の内部は中空部となっている。このため、トップウオータルアー自体が、大型化してしまう。かくして釣りの対象となる魚がどうしてもある程度以上の大型魚となり、小型魚を対象とするには適切な大きさとはいえない。
【先行技術文献】
【特許文献】
【０００８】
【特許文献１】特開２００５−２４５１４５号公報
【特許文献２】特開２００２−１２５５２２号公報
【発明の概要】
【発明が解決しようとする課題】
【０００９】
本発明は、上記従来技術に鑑み、キャスティングの際、昆虫の飛翔から水面に着水するまでの態様も再現して魚の興味を引くと同時に、小型の魚も対象とし得る小型のルアーとなるように小型化を図ったトップウオータルアーを提供することを目的とする。
【課題を解決するための手段】
【００１０】
上記目的を達成する本発明の第1の態様は、
中実の長尺部材である胴体と、該胴体の長手方向の軸線に交叉する方向に広げて前記胴体の上面に固定した翼と、前記胴体の下面に固定した重錘と、前記胴体の長手方向に関する一方の端部である前端に取り付けられ、釣糸の一端が連結されるアイと、前記長手方向に関する他方の端部である後端に連結した少なくとも一個の釣針と、前記翼の前記長手方向に関する後端から前記胴体の後端に向け広がるよう、前記翼に連続的に形成した補助翼と、を有するトップウオータルアーであって、
前記翼は、前端側が高くなるように傾斜させて前記胴体の長手方向に関する中心位置に固定し、
前記重錘は前記中心位置よりも前記胴体の後端側に固定して前記中心位置を回動中心として前記後端側を下方に移動させる回転モーメントを発生させ、
前記補助翼は、前記後端側が高くなるように傾斜させてあり、キャスティングの際に前記回転モーメントを打ち消して低減する揚力を発生するように構成したことを特徴とする。
【００１２】
本発明の第２の態様は、
請求項１に記載するトップウオータルアーにおいて、
前記胴体は針金またはピアノ線で形成したことを特徴とする。
【発明の効果】
【００１３】
本発明によれば、胴体の中心位置を回動中心として後端側を下方に移動させる回転モーメントが発生しており、キャスティングの際には先端側となる胴体の後端が下方を向いているので、良好に空中を滑空させることができ、その後着水面に着水させることができる。すなわち、昆虫の自然な飛翔態様およびその後の着水態様を良好に再現でき釣果の向上に寄与させることができる。
【００１４】
また、通常はその自重により沈降するが、リトリーブの際、翼部分を介して全体に上向きの浮力が発生するので、水面を良好に移動させてトップウオータルアーの機能を発揮させることができる。
【図面の簡単な説明】
【００１５】
【図１】本発明の実施の形態に係るトップウオータルアーを平面的に見た概要を示す模式図である。
【図２】図１に示すトップウオータルアーを側面から見た概要を示す模式図である。
【図３】図１に示すトップウオータルアーの胴体を作製する手順を示す模式図である。
【図４】図１に示すトップウオータルアーのキャスティング時の態様を示す模式図である。
【図５】図１に示すトップウオータルアーの水中の状態を示す模式図である。
【図６】図１に示すトップウオータルアーのリトリーブ時の状態を平面的に示す模式図である。
【図７】図１に示すトップウオータルアーのリトリーブ時の状態を側面から見て示す模式図である。
【発明を実施するための形態】
【００１６】
以下、本発明の実施の形態を、図面に基づき詳細に説明する。各図中Ｘ，Ｙ，Ｚは各図において相互に直角に交差するＸ軸，Ｙ軸，Ｚ軸の方向を示す。
【００１７】
図１は、本発明の実施の形態に係るトップウオータルアーを平面的に見た概要を示す模式図、図２は図１に示すトップウオータルアーを側面から見た概要を示す模式図である。両図に示すように、本形態に係るトップウオータルアーＩは、胴体１、翼２、重錘３、アイ４、釣針５を有している。ここで、胴体１の図２中左側を先端側、右側を後端側、左側の端部を一方の端部、右側の端部を他方の端部とする。
【００１８】
胴体１は、小型の魚を釣りの対象とする本形態に係るトップウオータルアーＩの用途を考慮して内部に空間を有しない中実の長尺部材で形成する。例えばピアノ線や針金等で好適に形成し得る。翼２は、胴体１の長手方向（図中のＸ軸方向）の軸線に交叉する方向（図中のＹ軸方向）に広げて胴体１の上面に、先端側が高くなるように傾斜させて胴体１の長手方向に関する中心位置Ｏに固定してある。さらに、本形態におけるトップウオータルアーＩの翼２の後端からは胴体１の後方に向けて一体的に伸びる補助翼２Ａが形成してある。補助翼２Ａは後端側が高くなるように傾斜させてある。
【００１９】
胴体１の先端には、リング状のアイ４が連結してあり、該アイ４に釣糸６の一端が連結してある。一方、胴体１の後端には、釣針５がリング部材７を介して胴体１に対し揺動可能に吊下されている。ここで、釣針５は少なくとも一個設けてあれば良く、その数に特別な制限はない。
【００２０】
重錘３は中心位置Ｏよりも胴体１の後端側に固定してあり、中心位置Ｏを回動中心として後端側を下方に移動させる回転モーメントを発生させる。かくして、キャスティングの際には前記回転モーメントにより胴体１の後端が下方を向いて空中を滑空した後着水する。一方、キャスティングにより着水した後、水中に沈降するトップウオータルアーＩを釣糸６で引っ張ればＸ軸方向に沿い翼２の前方から水平に作用する力により、翼２にはＺ軸方向に沿い上方に向かう力、すなわち浮力が発生する。かくして、リトリーブ時に釣糸６を引くことにより当該トップウオータルアーＩを水面で移動させることができる。
【００２１】
図３は、本形態に係るトップウオータルアーＩの胴体１を作製する手順の一例を示す模式図である。同図（ａ）に示すように、まずピアノ線８の一端をリング状に曲げてアイ４を作る。次に図３（ｂ）に示すように、中央部を９０度に折り曲げ、続いて図３（ｃ）に示すように、中央部の一部にＵ字状の受けを形成して上方に折り返す。次に、図３（ｄ）に示すように、Ｕ字状の受けの部分に重錘３を嵌め込み、ピアノ線８を絡めて固定する。
【００２２】
この状態で胴体１の骨組みが完成するので、かかる骨組みにテープ等を巻回して全体の形を整え、翼２等、必要な部品を固定する。ここで翼２は、胴体１の長手方向（図中のＸ軸方向）の軸線に交叉する方向（図中のＹ軸方向）に広げて胴体１の上面に固定する。このとき、翼２の先端側（図３中の左側）が高くなるように傾斜させて胴体１の長手方向に関する中心位置Ｏに固定する。同時に重錘３が中心位置Ｏよりも胴体１の後端側に位置し、中心位置Ｏを回動中心として後端側が下方に移動する回転モーメントが発生するように調整しておく。
【００２３】
上述のように構成した本形態に係るトップウオータルアーＩのキャスティング時の態様を図４に示す。同図の矢印の方向に投げだされたトップウオータルアーＩは放物線状の軌跡を描いた後、胴体１の中心位置Ｏを回動中心として後端側を下方に移動させる回転モーメントが発生しているので、徐々に水面に対し平行な水平飛行の姿勢となり、所定の期間滑空した後、水面に着水する。すなわち、例えば、カゲロウ等の昆虫が空中を滑空し、水面に着水する姿を忠実に再現したものとなり、水中の魚に大きな興味を持たせることができ、釣果の向上に良好に繋げることができる。ここで、補助翼２Ａの姿勢を調整することで滑空時の軌跡を調整することができる。
【００２４】
本形態に係るトップウオータルアーＩは、胴体１に空洞部を有していないため小型ではあるが水中での浮力をほとんど得られない。このため、図５に示すように、水中を沈降していくが、釣糸６を引くことによりリトリーブして図５の左方向にトップウオータルアーＩを移動させると、翼２にはその前方から水が当たり、この水の力により上方向（Ｚ軸方向）への浮力が発生する。この結果、トップウオータルアーＩの全体が水面に浮きあがり、図６に示すように、リトリーブ動作に伴い図中の左方向に移動する。このとき胴体１には重錘３により中心位置Ｏを回動中心とする図中時計方向への回転モーメントと、翼２に作用する上向きの力により図７に示すようなピッチング動作を行う。このピッチング動作も水面でもがく昆虫の姿を想起させる。
【符号の説明】
【００２５】
Ｉ      トップウオータルアー
１      胴体
２      翼
３      重錘
４      アイ
５      釣針
６      釣糸
【要約】      （修正有）【課題】キャスティングの際、昆虫の飛翔から水面に着水するまでの態様も再現し、同時に小型の魚も対象とし得るように小型化を図ったトップウオータルアーを提供する。【解決手段】中実の長尺部材である胴体１と、胴体１の軸線に交叉する方向に広げて胴体１の上面に固定した翼２と、胴体１の下面に固定した重錘３と、胴体１の前端に取り付けられ、釣糸の一端が連結されたアイ４と、胴体１の後端に連結した釣針５とを有するものであって、翼２は、前端側が高くなるように傾斜させて胴体１の長手方向に関する中心位置Ｏに固定するとともに、重錘３は中心位置Ｏよりも胴体１の後端側に固定して中心位置Ｏを回動中心として前記後端側を下方に移動させる回転モーメントを発生させ、キャスティングの際に前記回転モーメントにより胴体１の後端が下方を向いて空中を滑空して着水するようにした。【選択図】図２【図１】
0006843406.tif 000002
【図２】
0006843406.tif 000003
【図３】
0006843406.tif 000004
【図４】
0006843406.tif 000005
【図５】
0006843406.tif 000006
【図６】
0006843406.tif 000007
【図７】
0006843406.tif 000008